(57)【特許請求の範囲】
【請求項１】
掬い部と柄部とからなり、前記柄部は中間付近でヒンジ部を介して左右Ｖの字に折り畳み可能な第一柄部と第二柄部とで形成した折り畳み食器具において、前記第一柄部の下端側には略凸状の凸部を形成し、前記第二柄部の上端側には前記第一柄部に設けた凸部をすべて収納する略凹状の１つの凹部が形成され、前記凹部には、正面壁部の一部と裏面壁部の一部に第二柄部の中心軸に対して垂直方向に交互に配置した段違いの空間部を設けるとともに、前記凸部には、前記ヒンジ部と反対側の側壁面に前記第二柄部の下端方向に向って内側に傾斜する傾斜部と、前記凸部と凹部とで嵌め合うために外方へ突出した嵌合リブ部を設け、前記嵌合リブ部は正面壁部側と裏面壁部側の両面に形成を行い、前記嵌合リブ部と空間部で接合することを特徴とする折り畳み食器具。
【請求項２】
掬い部と柄部とからなり、前記柄部は中間付近でヒンジ部を介して左右Ｖの字に折り畳み可能な第一柄部と第二柄部とで形成した折り畳み食器具において、前記第二柄部の上端側には略凸状の凸部が形成され、前記第一柄部の下端側には前記第二柄部に設けた凸部をすべて収納する略凹状の１つの凹部を形成し、前記凹部には、正面壁部の一部と裏面壁部の一部に第一柄部の中心軸に対して垂直方向に交互に配置した段違いの空間部を設けるとともに、前記凸部には、前記ヒンジ部と反対側の側壁面に前記第一柄部の上端方向に向って内側に傾斜する傾斜部と、前記凸部と凹部とで嵌め合うために外方へ突出した嵌合リブ部を設け、前記嵌合リブ部は正面壁部側と裏面壁部側の両面に形成を行い、前記嵌合リブ部と空間部で接合することを特徴とする折り畳み食器具。
【請求項３】
掬い部と柄部とからなり、前記柄部は中間付近でヒンジ部を介して左右Ｖの字に折り畳み可能な第一柄部と第二柄部とで形成した折り畳み食器具において、前記第一柄部の下端側には略凸状の凸部を形成し、前記第二柄部の上端側には前記第一柄部に設けた凸部をすべて収納する略凹状の１つの凹部が形成され、前記凹部には、正面壁部の一部と裏面壁部の一部に第二柄部の中心軸に対して垂直方向に交互に配置した段違いの空間部を設けるとともに、前記凸部には、前記ヒンジ部と反対側の側壁面に前記第二柄部の下端方向に向って内側に傾斜する傾斜部と、前記凸部と凹部とで嵌め合うために外方へ突出した嵌合リブ部を設け、前記傾斜部の上端付近の一部には内側に凹む隙間を設けることで前記傾斜部に嵌合リブ部が形成され、前記嵌合リブ部と接する側の前記凹部の上端の内壁の一部には外方へ突出した突出部を形成し、前記突出部は前記突出部の上端から下端に向い前記第二柄部の中心軸方向へ傾斜させた側壁面を形成することで、バネ機能を有する前記嵌合リブ部の上端と前記突出部の下端が嵌め合い接合することを特徴とする折り畳み食器具。
【請求項４】
掬い部と柄部とからなり、前記柄部は中間付近でヒンジ部を介して左右Ｖの字に折り畳み可能な第一柄部と第二柄部とで形成した折り畳み食器具において、前記第二柄部の上端側には略凸状の凸部が形成され、前記第一柄部の下端側には前記第二柄部に設けた凸部をすべて収納する略凹状の１つの凹部を形成し、前記凹部には、正面壁部の一部と裏面壁部の一部に第一柄部の中心軸に対して垂直方向に交互に配置した段違いの空間部を設けるとともに、前記凸部には、前記ヒンジ部と反対側の側壁面に前記第一柄部の上端方向に向って内側に傾斜する傾斜部と、前記凸部と凹部とで嵌め合うために外方へ突出した嵌合リブ部を設け、前記傾斜部の下端付近の一部には内側に凹む隙間を設けることで前記傾斜部に嵌合リブ部が形成され、前記嵌合リブ部と接する側の前記凹部の下端の内壁の一部には外方へ突出した突出部を形成し、前記突出部は前記突出部の下端から上端に向い前記第一柄部の中心軸方向へ傾斜させた側壁面を形成することで、バネ機能を有する前記嵌合リブ部の下端と前記突出部の上端が嵌め合い接合することを特徴とする折り畳み食器具。
【請求項５】
前記柄部を複数形成し、複数に分離した柄部同士をヒンジ部を介して連結させたことを特徴とする請求項１乃至請求項４のいずれか一項に記載の折り畳み食器具。
【発明の詳細な説明】
【技術分野】
【０００１】
本発明は、プリンやゼリーなどのデザートと一緒に貼付及び配布される使い捨て用の折り畳み食器具に関するものである。
【背景技術】
【０００２】
プリンやゼリー、アイスクリームなどの容器と一緒に貼付されている使い捨て用のスプーンや、コンビニエンスストアや店頭で配布される飲食用に使用する使い捨て用のスプーンやフォーク、マドラーなどでは、収納や携帯の利便性から小型化されているものを多く見かける。例えば、組立が簡単でコストがかからず、柄が長く伸びる折畳型スプーンとして、特許文献１に記載の折畳型スプーンが提案されている。特許文献１の折畳型スプーンは、匙部と匙部一体的にかつ折り畳み自在に結合された主柄部と、主柄部に対し摺動可動に取り付けられる伸縮柄部とからなる折畳型スプーンの発明がなされている。
【０００３】
また、簡単な構造の金型で成形することができ、小箱等内に簡単に収納することができ、ヒンジに対しての負担が軽くし、スプーンを広げたり、折りたたんだりを繰り返しても、簡単にスプーン部と延長柄とが切り離されることが折りたたみスプーンとして、特許文献２に記載の折りたたみスプーンが提案されている。特許文献２の折りたたみスプーンは、スプーン部は板状の柄部と掬い部を具え、延長柄は連結柄部と側柄部と掬い部収納柄部とを具えた中抜きされた板状に形成され、柄部の端部と連結柄部の内方部とをヒンジを介して連結し、延長柄の内方に隙間を設けてスプーン部を収納する形状に一体成形した折りたたみスプーンの発明がなされている。
【０００４】
【特許文献１】実登第３０４９３４０号公報
【特許文献２】特開２０１３−２７５５５号公報
【発明の開示】
【発明が解決しようとする課題】
【０００５】
特許文献１の折畳型スプーンは、匙部と一体に成形された主柄部に、伸縮柄部を組み合わせて折畳型スプーンを形成したものであるが、特許文献１には「伸縮柄部４３は、射出成形などの手段で、望ましくは匙部３及び主柄部４と共に一体的に製造され、成形後分離して主柄部４内に挿通され」と記載されているが、射出成形法を利用して、匙部及び主柄部と伸縮柄部を、ワンパーツとなるように一体成形することは構造上無理である。また、別の解釈でとらえて、異なる形状の２つの部品を１つの金型で一体的に製造したと仮定した場合では、２つの部品を成形後に分ける作業は必要になり、人的な労力と手間が必要になる。また、分離作業を取り出しロボットなどで行うことも可能ではあるが、その場合、設備に対しての高額なコストが必要になる。さらに、特許文献１の構造にした場合、匙部と主柄部は、匙部側に形成された係止スロットへ、主柄部側に形成された係止ブロックがヒンジを介して前後の動作により合わさることで、匙部と主柄部が組み立てられて掬える状態になるが、掬うものがアイスクリームなど硬いものや、容器の底が浅くすぐにスプーンが容器の下までついてしまう場合、匙部の裏面に力がかかるので、食べている最中でも、匙部が手前に折り倒されてしまう問題がある。また、特許文献１の折畳型スプーンは、匙部のネック部が主柄部と屈曲自在に連結されているということは、ヒンジ構造になっているので、連結部分は屈曲しやすいように、薄肉成形されている。前記構造のヒンジは、力が加わると切れやすいという欠点があり、使用途中でヒンジが切れてしまうと、スプーンして使用するのが困難な形状になってしまう問題がある。
【０００６】
更に、特許文献２に記載の折りたたみスプーンは、射出成形法を利用してワンパーツで一体成形できる構造であるが、特許文献１と同様に、スプーン部と延長柄は、ヒンジを介して前後の動作により組立てできる構造であるので、掬うものがアイスクリームなど硬いものや、容器の底が浅くすぐにスプーンが容器の下までついてしまう場合、スプーン部の裏面に力がかかるので、食べている最中でも、スプーン部が手前に折り倒されてしまう問題が特許文献１と同様に発生してしまう状態である。
【０００７】
本発明の目的は、上記課題を解決し、折り畳み食器具を提供することである。
【課題を解決するための手段】
【０００８】
掬い部と柄部とからなり、前記柄部は中間付近でヒンジ部を介して左右Ｖの字に折り畳み可能な第一柄部と第二柄部とで形成した折り畳み食器具において、前記第一柄部の下端側には略凸状の凸部を形成し、前記第二柄部の上端側には前記第一柄部に設けた凸部をすべて収納する略凹状の１つの凹部が形成され、前記凹部には、正面壁部の一部と裏面壁部の一部に第二柄部の中心軸に対して垂直方向に交互に配置した段違いの空間部を設けるとともに、前記凸部には、前記ヒンジ部と反対側の側壁面に前記第二柄部の下端方向に向って内側に傾斜する傾斜部と、前記凸部と凹部とで嵌め合うために外方へ突出した嵌合リブ部を設け、前記嵌合リブ部は正面壁部側と裏面壁部側の両面に形成を行い、前記嵌合リブ部と空間部で接合する折り畳み食器具である。
【０００９】
掬い部と柄部とからなり、前記柄部は中間付近でヒンジ部を介して左右Ｖの字に折り畳み可能な第一柄部と第二柄部とで形成した折り畳み食器具において、前記第二柄部の上端側には略凸状の凸部が形成され、前記第一柄部の下端側には前記第二柄部に設けた凸部をすべて収納する略凹状の１つの凹部を形成し、前記凹部には、正面壁部の一部と裏面壁部の一部に第一柄部の中心軸に対して垂直方向に交互に配置した段違いの空間部を設けるとともに、前記凸部には、前記ヒンジ部と反対側の側壁面に前記第一柄部の上端方向に向って内側に傾斜する傾斜部と、前記凸部と凹部とで嵌め合うために外方へ突出した嵌合リブ部を設け、前記嵌合リブ部は正面壁部側と裏面壁部側の両面に形成を行い、前記嵌合リブ部と空間部で接合する折り畳み食器具である。
【００１０】
掬い部と柄部とからなり、前記柄部は中間付近でヒンジ部を介して左右Ｖの字に折り畳み可能な第一柄部と第二柄部とで形成した折り畳み食器具において、前記第一柄部の下端側には略凸状の凸部を形成し、前記第二柄部の上端側には前記第一柄部に設けた凸部をすべて収納する略凹状の１つの凹部が形成され、前記凹部には、正面壁部の一部と裏面壁部の一部に第二柄部の中心軸に対して垂直方向に交互に配置した段違いの空間部を設けるとともに、前記凸部には、前記ヒンジ部と反対側の側壁面に前記第二柄部の下端方向に向って内側に傾斜する傾斜部と、前記凸部と凹部とで嵌め合うために外方へ突出した嵌合リブ部を設け、前記傾斜部の上端付近の一部には内側に凹む隙間を設けることで前記傾斜部に嵌合リブ部が形成され、前記嵌合リブ部と接する側の前記凹部の上端の内壁の一部には外方へ突出した突出部を形成し、前記突出部は前記突出部の上端から下端に向い前記第二柄部の中心軸方向へ傾斜させた側壁面を形成することで、バネ機能を有する前記嵌合リブ部の上端と前記突出部の下端が嵌め合い接合する折り畳み食器具である。
【００１１】
掬い部と柄部とからなり、前記柄部は中間付近でヒンジ部を介して左右Ｖの字に折り畳み可能な第一柄部と第二柄部とで形成した折り畳み食器具において、前記第二柄部の上端側には略凸状の凸部が形成され、前記第一柄部の下端側には前記第二柄部に設けた凸部をすべて収納する略凹状の１つの凹部を形成し、前記凹部には、正面壁部の一部と裏面壁部の一部に第一柄部の中心軸に対して垂直方向に交互に配置した段違いの空間部を設けるとともに、前記凸部には、前記ヒンジ部と反対側の側壁面に前記第一柄部の上端方向に向って内側に傾斜する傾斜部と、前記凸部と凹部とで嵌め合うために外方へ突出した嵌合リブ部を設け、前記傾斜部の下端付近の一部には内側に凹む隙間を設けることで前記傾斜部に嵌合リブ部が形成され、前記嵌合リブ部と接する側の前記凹部の下端の内壁の一部には外方へ突出した突出部を形成し、前記突出部は前記突出部の下端から上端に向い前記第一柄部の中心軸方向へ傾斜させた側壁面を形成することで、バネ機能を有する前記嵌合リブ部の下端と前記突出部の上端が嵌め合い接合する折り畳み食器具である。
【００１２】
前記柄部を複数形成し、複数に分離した柄部同士をヒンジ部を介して連結させた折り畳み食器具である。
【発明の効果】
【００１３】
本発明は、掬い部と柄部とからなり、前記柄部は中間付近でヒンジ部を介して左右Ｖの字に折り畳み可能な第一柄部と第二柄部とで形成した折り畳み食器具において、前記第一柄部の下端側には略凸状の凸部を形成し、前記第二柄部の上端側には前記第一柄部に設けた凸部をすべて収納する略凹状の１つの凹部が形成され、前記凹部には、正面壁部の一部と裏面壁部の一部に第二柄部の中心軸に対して垂直方向に交互に配置した段違いの空間部を設けるとともに、前記凸部には、前記ヒンジ部と反対側の側壁面に前記第二柄部の下端方向に向って内側に傾斜する傾斜部と、前記凸部と凹部とで嵌め合うために外方へ突出した嵌合リブ部を設け、前記嵌合リブ部は正面壁部側と裏面壁部側の両面に形成を行い、前記嵌合リブ部と空間部で接合する折り畳み食器具であるので、柄部が折り畳まれる方向が、左右Ｖの字方向に折り畳みできる構造であるので、掬い部の外側の面でアイスクリームなどの硬い食品を掬くおうとして、強い力が掬い部の外側に加重したり、容器の底面に近い箇所にある食品を救おうとして、容器の底面を掬い部の外側で押えつけて強い力が加わっても、折り畳まれてしまう心配がない折り畳み食器具を提供することができる。また、前記凹部の正面壁部の一部と裏面壁部の一部に第二柄部の中心軸に対して垂直方向に交互の配置となる段違いの空間部を設けた構造にすることで、射出成形法によりワンパーツで一体成形することができる折り畳み食器具を提供することができる。更に、仮にヒンジ部が切れてしまった場合においても、前記凸部と前記凹部が嵌合リブ部により嵌合するため、食器具してそのまま継続して使用することができる折り畳み食器具を提供することができる。
【００１４】
本発明は、掬い部と柄部とからなり、前記柄部は中間付近でヒンジ部を介して左右Ｖの字に折り畳み可能な第一柄部と第二柄部とで形成した折り畳み食器具において、前記第二柄部の上端側には略凸状の凸部が形成され、前記第一柄部の下端側には前記第二柄部に設けた凸部をすべて収納する略凹状の１つの凹部を形成し、前記凹部には、正面壁部の一部と裏面壁部の一部に第一柄部の中心軸に対して垂直方向に交互に配置した段違いの空間部を設けるとともに、前記凸部には、前記ヒンジ部と反対側の側壁面に前記第一柄部の上端方向に向って内側に傾斜する傾斜部と、前記凸部と凹部とで嵌め合うために外方へ突出した嵌合リブ部を設け、前記嵌合リブ部は正面壁部側と裏面壁部側の両面に形成を行い、前記嵌合リブ部と空間部で接合する折り畳み食器具であるので、柄部が折り畳まれる方向が、左右Ｖの字方向に折り畳みできる構造であるので、掬い部の外側の面でアイスクリームなどの硬い食品を掬くおうとして、強い力が掬い部の外側に加重したり、容器の底面に近い箇所にある食品を救おうとして、容器の底面を掬い部の外側で押えつけて強い力が加わっても、折り畳まれてしまう心配がない折り畳み食器具を提供することができる。また、前記凹部の正面壁部の一部と裏面壁部の一部に第二柄部の中心軸に対して垂直方向に交互の配置となる段違いの空間部を設けた構造にすることで、射出成形法によりワンパーツで一体成形することができる折り畳み食器具を提供することができる。更に、仮にヒンジ部が切れてしまった場合においても、前記凸部と前記凹部が嵌合リブ部により嵌合するため、食器具してそのまま継続して使用することができる折り畳み食器具を提供することができる。
【００１５】
本発明は、掬い部と柄部とからなり、前記柄部は中間付近でヒンジ部を介して左右Ｖの字に折り畳み可能な第一柄部と第二柄部とで形成した折り畳み食器具において、前記第一柄部の下端側には略凸状の凸部を形成し、前記第二柄部の上端側には前記第一柄部に設けた凸部をすべて収納する略凹状の１つの凹部が形成され、前記凹部には、正面壁部の一部と裏面壁部の一部に第二柄部の中心軸に対して垂直方向に交互に配置した段違いの空間部を設けるとともに、前記凸部には、前記ヒンジ部と反対側の側壁面に前記第二柄部の下端方向に向って内側に傾斜する傾斜部と、前記凸部と凹部とで嵌め合うために外方へ突出した嵌合リブ部を設け、前記傾斜部の上端付近の一部には内側に凹む隙間を設けることで前記傾斜部に嵌合リブ部が形成され、前記嵌合リブ部と接する側の前記凹部の上端の内壁の一部には外方へ突出した突出部を形成し、前記突出部は前記突出部の上端から下端に向い前記第二柄部の中心軸方向へ傾斜させた側壁面を形成することで、バネ機能を有する前記嵌合リの上端と前記突出部の下端が嵌め合い接合する折り畳み食器具であるので、柄部が折り畳まれる方向が、左右Ｖの字方向に折り畳みできる構造であるので、掬い部の外側の面でアイスクリームなどの硬い食品を掬くおうとして、強い力が掬い部の外側に加重したり、容器の底面に近い箇所にある食品を救おうとして、容器の底面を掬い部の外側で押えつけて強い力が加わっても、折り畳まれてしまう心配がない折り畳み食器具を提供することができる。また、前記凹部の正面壁部の一部と裏面壁部の一部に第二柄部の中心軸に対して垂直方向に交互の配置となる段違いの空間部を設けた構造にすることで、射出成形法によりワンパーツで一体成形することができる折り畳み食器具を提供することができる。更に、仮にヒンジ部が切れてしまった場合においても、前記凸部と前記凹部が嵌合リブ部により嵌合するため、食器具してそのまま継続して使用することができる折り畳み食器具を提供することができる。
【００１６】
本発明は、掬い部と柄部とからなり、前記柄部は中間付近でヒンジ部を介して左右Ｖの字に折り畳み可能な第一柄部と第二柄部とで形成した折り畳み食器具において、前記第二柄部の上端側には略凸状の凸部が形成され、前記第一柄部の下端側には前記第二柄部に設けた凸部をすべて収納する略凹状の１つの凹部を形成し、前記凹部には、正面壁部の一部と裏面壁部の一部に第一柄部の中心軸に対して垂直方向に交互に配置した段違いの空間部を設けるとともに、前記凸部には、前記ヒンジ部と反対側の側壁面に前記第一柄部の上端方向に向って内側に傾斜する傾斜部と、前記凸部と凹部とで嵌め合うために外方へ突出した嵌合リブ部を設け、前記傾斜部の下端付近の一部には内側に凹む隙間を設けることで前記傾斜部に嵌合リブ部が形成され、前記嵌合リブ部と接する側の前記凹部の下端の内壁の一部には外方へ突出した突出部を形成し、前記突出部は前記突出部の下端から上端に向い前記第一柄部の中心軸方向へ傾斜させた側壁面を形成することで、バネ機能を有する前記嵌合リブ部の下端と前記突出部の上端が嵌め合い接合する折り畳み食器具であるので、柄部が折り畳まれる方向が、左右Ｖの字方向に折り畳みできる構造であるので、掬い部の外側の面でアイスクリームなどの硬い食品を掬くおうとして、強い力が掬い部の外側に加重したり、容器の底面に近い箇所にある食品を救おうとして、容器の底面を掬い部の外側で押えつけて強い力が加わっても、折り畳まれてしまう心配がない折り畳み食器具を提供することができる。また、前記凹部の正面壁部の一部と裏面壁部の一部に第二柄部の中心軸に対して垂直方向に交互の配置となる段違いの空間部を設けた構造にすることで、射出成形法によりワンパーツで一体成形することができる折り畳み食器具を提供することができる。更に、仮にヒンジ部が切れてしまった場合においても、前記凸部と前記凹部が嵌合リブ部により嵌合するため、食器具してそのまま継続して使用することができる折り畳み食器具を提供することができる。
【００１７】
本発明は、前記柄部を複数形成し、複数に分離した柄部同士をヒンジ部を介して連結させた折り畳み食器具であるので、組み立てた時に柄部が長くなる折り畳み食器具を、限られた収納スペースに収納することができる折り畳み食器具を提供することができる。
【図面の簡単な説明】
【００１８】
【図１】本発明の実施形態１を正面から見た平面図である。
【図２】図１を組み立てた状態の平面図である。
【図３】図１を裏面から見た平面図である。
【図４】図３を組み立てた状態の平面図である。
【図５】図２に示すＷ部分をｙ−ｙ’にカットした状態の断面図である。
【図６】図１の斜視図である。
【図７】本発明の実施形態である金型を示した概略図である。
【図８】図７をｚ−ｚ’にカットした状態の断面図である。
【図９】図８のＸ部分を拡大した断面図である。
【図１０】本発明の異なる実施形態２を正面から見た平面図である。
【図１１】本発明の異なる実施形態３を正面から見た平面図である。
【図１２】図１１を組み立てた状態の平面図である。
【図１３】図１１のＹ部分を拡大でした平面図である。
【図１４】図１１を裏面から見た平面図である。
【図１５】図１４を組み立てた状態の平面図である。
【図１６】凹部と凸部が嵌め合う過程を示した断面図である。
【図１７】図１２に示すＺ部分を拡大した断面図１である。
【図１８】図１２に示すＺ部分を拡大した断面図２である。
【図１９】図１１の斜視図である。
【発明を実施するための最良の形態】
【００１９】
本発明の実施形態１である折り畳み食器具Ａは、図１及び図６に示す通り、プリンやゼリー、アイスクリームなどの容器と一緒に貼付できるようにコンパクトに折り畳み可能な使い捨て用の折り畳み食器具Ａである。また、図示していないが、本発明の折り畳み食器具Ａは、コンビニエンスストアや店頭で配布される飲食用に使用する使い捨て用のフォークやナイフ、マドラーなどにも、技術応用することができる構造を有している。
【００２０】
図２及び図４は本発明の折り畳み食器具Ａが組み立てられて使用できる状態の図を示しているが、食べ物などを救うための掬い部１と持ち手となる柄部２とで構成している。また、図１及び図３は使用する前の折り畳まれている状態を示しているが、前記柄部２は、第一柄部２ａと第二柄部２ｂとで構成されており、前記ヒンジ部３は第一柄部２ａと第二柄部２ｂの側壁の一部と連結している。更に、前記第一柄部２ａと前記第二柄部２ｂは、ヒンジ部３を介して左右Ｖの字に折り曲がるようになっている。前記ヒンジ部３を形成する位置は、食器具を使用する状態とした場合に、その中間付近で２つ折りになる位置に形成することで、コンパクトに折り畳みできる折り畳み食器具Ａを提供することができる。
【００２１】
図１乃至図４に示すように、前記掬い部１の下端側には前記第一柄部２ａが形成されており、前記第一柄部２ａの下端側２ａ１には略凸状の凸部４が形成されている。また、前記第二柄部２ｂの上端側２ｂ１には前記第一柄部２ａに設けた凸部４をすべて収納する略凹状の１つの凹部５が形成されていて、前記凸部４と前記凹部５は、お互いに嵌合しあう構造を有している。尚、前記凸部４と前記凹部５の形状については、前記凸部４と前記凹部５がお互いに嵌合しあう構造であればよいので、前記第一柄部２ａの下端側２ａ１が前記凹部５で、前記第二柄部２ｂの上端側２ｂ１が前記凸部４の構造を有しても良い。
【００２２】
更に図１に示すように、前記凸部４は前記凹部５との嵌め合い開始を容易にするため、前記ヒンジ部３と反対側の前記凸部４の側壁面が、前記凸部４の上端４ａ１から下端に向って内側に傾斜する傾斜部４ａを形成している。また、前記凸部４の正面壁と裏面壁には、外方へ突出した嵌合リブ部４ｂを形成している。
【００２３】
図１及び図２は本発明の折り畳み食器具Ａを正面から示した図になり、図３及び図４は本発明の折り畳み食器具Ａを裏面から示した図である。図１に示す前記凹部５の正面壁部５ｂの一部に前記第二柄部２ｂの中心軸に対して垂直方向に開口した空間部５ａを形成している。また、図３示す前記凹部５の裏面壁部５ｃの一部にも、前記第二柄部２ｂの中心軸に対して垂直方向に開口した空間部５ａを形成している。
【００２４】
図２のＷ部分をｙ−ｙ’にカットした状態の断面図を図５に示しているが、図５に示す通り、凸部４と凹部５が嵌め合うことで、前記空間部５ａに前記嵌合リブ部４ｂが入り込み嵌着しあう構造を有している。そのため、仮に、使用途中や組立て途中で前記ヒンジ部３が切れてしまうトラブルに見舞われても、前記空間部５ａに前記嵌合リブ部４ｂが入り込み嵌着しあっているので、前記第一柄部２ａと前記第二柄部２ｂは切り離されることなく、そのまま食器具としての機能は保持したままで、継続して使用することができる。
【００２５】
図７乃至図９において、本発明の折り畳み食器具Ａの金型構造について説明する。図７に示す本発明の折り畳み食器具Ａの金型６をｚ−ｚ’にカットした状態の断面図が図８であり、図８のＸ部分を拡大した図が図９であるが、前記金型６は、固定金型である固定型６ｂと可動金型である可動型６ｃとで一対の金型６が構成される。図８及び図９は、前記固定型６ｂと前記可動型６ｃが突き合って金型６が型締めされた状態を示している。図示はしていないが、樹脂射出器内で、高温で溶融した合成樹脂材が前記柄部２の上部に設けられたゲート位置６ａから高圧力で射出され、折り畳み食器具Ａが成形される。前記折り畳み食器具Ａが硬化した後、可動型６ｃが固定型６ｂから後退し、金型６が型開きし、成形品が取り出される。
【００２６】
図６に示すように、前記凹部５には前記凸部４と嵌め合い嵌着するための略箱形状の空洞スペースと、前記凹部５の正面壁部５ｂと裏面壁部５ｃの一部に前記第二柄部２ｂの中心軸に対して垂直方向の横穴となる空間部５ａを前記正面壁部５ｂ、前記裏面壁部５ｃ、前記正面壁部５ｂの順に交互に設けることで射出成形法によりワンパーツで成形できる。
【００２７】
前記凹部５内に空洞スペースを形成するためには、図９で示すように前記固定型６ｂには外方へ突出した固定型突起６ｂ１を形成し、また前記可動型６ｃにも前記固定型突起６ｂ１の側面の一部と接合するように外方へ突出した可動型突起６ｃ１を交互に形成することで、前記固定型突起６ｂ１と前記可動型突起６ｃ１の一部同士が交互に合わさり食い切り構造となるので、ワンパーツ成形を実現することができる。
【００２８】
次に、本発明の折り畳み食器具の異なる実施形態２を図１０に示す。本発明の折り畳み食器具の柄部２の長さを更に延長したい場合は図１０に示すとおり、前記第二柄部２ｂの下端側２ｂ２に第三柄部２ｃを形成することで達成できる。すなわち、前記凸部４と前記凹部５の機能を前記第二柄部２ｂの下端側２ｂ２と前記第三柄部２ｃの上端側２ｃ１に形成することで、前記第二柄部２ｂと前記第三柄部２ｃは、左右逆Ｖの字となるようにヒンジ部３ａで連結させることで、Ｎ字形状の折り畳みが可能となり、限られた収納スペースに収納または貼付できる折り畳み食器具Ａ１を提供することができる。更に、もっと限られた収納スペースに収納または貼付できる折り畳み食器具を提供するためには、前記第三柄部２ｃの下端側に、更に第四柄部（図示していない）など複数に分離した柄部２をヒンジ部で連結させてＷ字形状など、交互に折り畳みできるようにヒンジ部を介して連結することで限られた収納スペースであっても、柄部２の長い折り畳み食器具を提供することができる。
【００２９】
更に本発明の折り畳み食器具の異なる実施形態３を図１１乃至図１９に示す。図１２及び図１４は本発明の折り畳み食器具Ａ２が組み立てられて使用できる状態の図であり、図１１及び図１３は使用する前の折り畳まれている状態を示している折り畳み食器具Ａ２である。また、図１１及び図１２は本発明の折り畳み食器具Ａを正面から示した図になり、図１４及び図１５は本発明の折り畳み食器具Ａ２を裏面から示した図である。本発明の折り畳み食器具Ａ２は、掬い部１と柄部２で構成されており、前記柄部２は第一柄部２ａと第二柄部２ｂに分離されて、第一柄部２ａと前記第二柄部２ｂは、ヒンジ部３を介して左右Ｖの字に折り曲がるように、前記ヒンジ部３は第一柄部２ａと第二柄部２ｂの側壁の一部と連結している。
【００３０】
図１１乃至図１５に示すように、前記掬い部１の下端側には前記第一柄部２ａが形成されており、前記第一柄部２ａの下端側２ａ１には略凸状の凸部４が形成されている。また、前記第二柄部２ｂの上端側２ｂ１には前記第一柄部２ａに設けた凸部４をすべて収納する略凹状の１つの凹部５が形成されていて、前記凸部４と前記凹部５は、お互いに嵌合しあう構造を有している。尚、前記凸部４と前記凹部５の形状については、前記凸部４と前記凹部５がお互いに嵌合しあう構造であればよいので、前記第一柄部２ａの下端側２ａ１が前記凹部５で、前記第二柄部２ｂの上端側２ｂ１が前記凸部４の構造を有しても良い。
【００３１】
更に図１３は図１１のＹ部分を拡大した図になり、図１６は前記凹部５と前記凸部４とが嵌め合う過程を示した断面図である。また、図１７は図１２のＺ部分を拡大した断面図であり、前記凹部５と前記凸部４とが嵌め合った後の嵌合した状態を示している。図１３及び図１６に示すように、前記凸部４は前記凹部５との嵌め合い開始を容易にするため、ヒンジ部３と反対側の前記凸部４の側壁面に、前記凸部４の上端４ａ１付近から下端に向って内側に傾斜する傾斜部４ａを形成している。また、前記傾斜部４ａの上端４ａ１付近の一部の前記凸部４は内側に凹むように隙間４ｃを設けることで前記凸部４には嵌合リブ部４ｂが形成される。
【００３２】
更に図１６に示すように、前記嵌合リブ部４ｂと接する側の前記凹部５の上端５ｄ２の内壁の一部に外方へ突出した突出部５ｄを形成している。前記突出部５ｄは、前記嵌合リブ部４ｂと嵌め合いしやすいように、前記上端５ｄ２から下端５ｄ３に向い、前記第二柄部２ｂの中心軸方向へ傾斜させた側壁面５ｄ１を形成している。また、前記凸部４と前記凹部５が嵌め合う過程において、前記突出部５ｄの突出した箇所と前記嵌合リブ部４ｂの突出した箇所が接し合いお互いに押し合った時に、前記隙間４ｃのスペースに前記嵌合リブ部４ｂが内側に押されて入り込むことができる。更に、嵌め合った後は図１７に示すとおり、前記嵌合リブ部４ｂが元の位置に戻ろうとするバネ機能が働き、前記凸部４の上端４ａ１の面と前記突出部５ｄの下端５ｄ３の面が接合することで嵌着する。
【００３３】
図１８は、前記嵌合リブ部４ｂにバネ機能が働き、且つ前記嵌合リブ部４ｂの強度も保持できる最適形状の一例を示した図である。前記嵌合リブ部４ｂと前記突出部５ｄの嵌め合った状態の位置関係をａ幅、ｂ幅、ｃ幅、ｄ幅、ｅ幅として示しているが、前記ｄ幅が通り抜けできる幅をｂ幅として形成することが望ましい。また、前記嵌合リブ部４ｂのａ幅に対して前記嵌合リブ部４ｂの長さであるｅ幅は前記ａ幅の２倍ほどの幅を形成することで、前記嵌合リブ部４ｂの強度が保持できる上、バネ機能も有効に働き、且つ、前記嵌合リブ部４ｂと前記突出部５ｄの引っかかり幅がａ幅の１／２以上の幅が、前記突出部５ｄの下端５ｄ３のｃ幅に引っかかり接合できるようになる。これにより、仮に使用途中や組立て途中で前記ヒンジ部３が切れてしまうトラブルに見舞われても、前記嵌合リブ部４ｂと前記突出部５ｄは嵌着しあっているので、前記第一柄部２ａと前記第二柄部２ｂは切り離されることなく、そのまま食器具としての機能は保持したままで、継続して使用することができる。
【符号の説明】
【００３４】
１      掬い部
２      柄部
２ａ    第一柄部
２ａ１  下端側
２ｂ    第二柄部
２ｂ１  上端側
２ｂ２  下端側
２ｃ    第三柄部
２ｃ１  上端側
３      ヒンジ部
３ａ    ヒンジ部
４      凸部
４ａ    傾斜部
４ａ１  上端
４ｂ    嵌合リブ部
４ｃ    隙間
５      凹部
５ａ    空間部
５ｂ    正面壁部
５ｃ    裏面壁部
５ｄ    突出部
５ｄ１  側壁面
５ｄ２  上端
５ｄ３  下端
６      金型
６ａ    固定型
６ａ１  固定型突起
６ｂ    可動型
６ｂ１  可動型突起
６ｃ    ゲート位置
Ａ      折り畳み食器具
Ａ１    折り畳み食器具
Ａ２    折り畳み食器具
【要約】
【課題】折り畳み食器具を提供する。
【解決手段】掬い部１と柄部２とからなり、前記柄部２は中間付近でヒンジ部３を介して左右Ｖの字に折り畳み可能な第一柄部２ａと第二柄部２ｂとで形成した折り畳み食器具Ａにおいて、前記第一柄部２ａの下端側には略凸状の凸部４を形成し、前記第二柄部２ｂの上端側には略凹状の凹部５が形成され、前記凹部５には、正面壁部の一部と裏面壁部の一部に第二柄部２ｂの中心軸に対して垂直方向に交互に配置した段違いの空間部５ａを設けるとともに、前記凸部４には、前記ヒンジ部３と反対側の側壁面に前記第二柄部２ｂの下端方向に向って内側に傾斜する傾斜部４ａと、前記凸部４と凹部５とで嵌め合うために外方へ突出した嵌合リブ部４ｂを設けた折り畳み食器具である。
【選択図】図１【図１】
0005869094.tif 000002
【図２】
0005869094.tif 000003
【図３】
0005869094.tif 000004
【図４】
0005869094.tif 000005
【図５】
0005869094.tif 000006
【図６】
0005869094.tif 000007
【図７】
0005869094.tif 000008
【図８】
0005869094.tif 000009
【図９】
0005869094.tif 000010
【図１０】
0005869094.tif 000011
【図１１】
0005869094.tif 000012
【図１２】
0005869094.tif 000013
【図１３】
0005869094.tif 000014
【図１４】
0005869094.tif 000015
【図１５】
0005869094.tif 000016
【図１６】
0005869094.tif 000017
【図１７】
0005869094.tif 000018
【図１８】
0005869094.tif 000019
【図１９】
0005869094.tif 000020